(57)【要約】【解決手段】動力工具と共に使用するクランプ工具は、動力工具に取り付けられるハウジングを有する。ハウジングは、少なくとも１つの係合部分を有する。ロッキングプライヤは、近位端及び遠位端をもつ保持部を有する。近位端は、ロッキングプライヤをハウジングに対して選択的に、解除可能、回動可能に保持するため少なくとも１つの係合部分に取り付けられる。ロッキングプライヤの係合部は、保持部に対して取り付けられ、それらの間に物品を位置決めするため保持部の遠位端に対して選択的に係止される。２つの実施形態において、物品はロッキングプライヤで係止された後、ロッキングプライヤを、ハウジングから離れるように、若しくは、ハウジングに向かうように、回動させて、動力工具を物品に係合させる。
2007530293.tif 000002
【特許請求の範囲】
【請求項１】
動力工具と共に使用するクランプ工具であって、前記クランプ工具は、
少なくとも１つの係合部分を含み、動力工具に取り付けられるように適合されたハウジングと、
近位端と遠位端を有する保持部を有するロッキングプライヤと、
前記保持部に対して取り付けられる前記ロッキングプライヤの係合部と、
を備え、
前記近位端は、前記少なくとも１つの係合部分に選択的に取り付けられるように適合されて、前記ロッキングプライヤを前記ハウジングに対して可動自在に選択的に保持し、
前記係合部は、前記保持部の前記遠位端に対して選択的に係止されて、前記係合部と前記保持部の前記遠位端との間に物品を位置決めし、
物品が前記保持部の前記遠位端と前記ロッキングプライヤの前記係合部に対して係止される際、動力工具を物品に係合させることができるように、前記保持部の前記近位端が、前記ハウジングに対して回動可能となっていることを特徴とするクランプ工具。
【請求項２】
請求項１記載のクランプ工具において、
さらに、平坦側面を有する円柱状ピンを備え、
前記平坦側面は、切断中に前記ロッキングプライヤが外れないように、動力工具の刃先に対して９０度の角度で位置決めされていることを特徴とするクランプ工具。
【請求項３】
請求項１記載のクランプ工具において、
さらに、前記ハウジングの前記係合部分に２つの平坦面を有する円柱状ピンを備え、
前記ピンは、切断動作中に前記ロッキングプライヤが外れないように動力工具の刃先に対して９０度の角度で位置決めされていることを特徴とするクランプ工具。
【請求項４】
請求項１記載のクランプ工具において、
前記ハウジングは、略円形状であり、動力工具のカッティングホイールを略囲繞し、前記カッティングホイールが物品に係合できるようにスペースを設け、
前記少なくとも１つの係合部分は、前記ハウジングの一端に形成されたスロットであり、前記保持部の前記近位端と選択的に係合して、それらの間で選択的に回動できることを特徴とするクランプ工具。
【請求項５】
請求項１記載のクランプ工具において、
前記保持部の前記近位端には、スロットが形成され、前記ハウジングに形成された前記少なくとも１つの係合部分に受けられることを特徴とするクランプ工具。
【請求項６】
請求項５記載のクランプ工具において、
前記スロットは、２つの略平坦部を有する入り口部をもつ略C字形状のスロットであり、前記スロットが前記ハウジングの前記少なくとも１つの係合部分と第１の位置で係合して、前記ロッキングプライヤを前記ハウジングに対して取り付けることができ、前記動力工具の動作中に前記ハウジングから外れることを防ぐことを特徴とするクランプ工具。
【請求項７】
請求項１記載のクランプ工具において、
前記ロッキングプライヤは、動作中、前記動力工具から離れるように動かされて、物品が前記動力工具と係合することを特徴とするクランプ工具。
【請求項８】
請求項１記載のクランプ工具において、
前記動力工具は、回転鋸であることを特徴とするクランプ工具。
【請求項９】
請求項１記載のクランプ工具において、
前記係合部は、略Ｌ字形状の部材であり、前記Ｌ字形状部材と前記保持部の前記遠位端との間で物品を係止位置に位置決めすることを特徴とするクランプ工具。
【請求項１０】
請求項１記載のクランプ工具において、
前記動力工具は、回転鋸であり、
前記係合部には、前記係合部に対して保持された物品を前記回転鋸で切断できるようにスロットが形成されたことを特徴とするクランプ工具。
【請求項１１】
動力工具と共に使用するクランプ工具であって、前記クランプ工具は、
少なくとも１つの係合部分を有し、動力工具に取り付けられるように適合されたハウジングと、
遠位端をもつ保持部を有するロッキングプライヤと、
係止部分に対して取り付けられる前記ロッキングプライヤの係合部と、
を備え、
前記遠位端は、前記少なくとも１つの係合部分に選択的に取り付けられるように適合されて、前記ハウジングに対して可動自在に前記ロッキングプライヤを選択的に保持し、
前記係合部は、前記係止部分に対して選択的に係止されて、前記係合部と前記係止部分との間に物品を位置決めし、
物品が前記係止部分と前記ロッキングプライヤの前記係合部に対して係止される際、動力工具を物品に係合できるように、前記保持部の前記遠位端が前記ハウジングに対して回動可能となっていることを特徴とするクランプ工具。
【請求項１２】
請求項１１記載のクランプ工具において、
さらに、前記遠位端に取り付けられたピンを有し、前記ピンは、切断動作中に前記ロッキングプライヤが外れないように、動力工具の刃先に対して９０度の角度で位置決めされた平坦側面を有することを特徴とするクランプ工具。
【請求項１３】
請求項１１記載のクランプ工具において、
さらに、前記遠位端に取り付けられた２つの平坦面をもつピンを有し、前記ピンは、切断動作中に前記ロッキングプライヤがはずれないように、動力工具の刃先に対して９０度の角度で位置決めされていることを特徴とするクランプ工具。
【請求項１４】
請求項１１記載のクランプ工具において、
前記ハウジングは、略円形状であり、動力工具のカッティングホイールを略囲繞し、前記カッティングホイールが物品に係合できるようにスペースを設け、
前記少なくとも１つの係合部分は、前記ハウジングの一端に形成されたスロットであり、前記保持部の前記遠位端と選択的に係合してそれらの間を選択的に回動できることを特徴とするクランプ工具。
【請求項１５】
請求項１１記載のクランプ工具において、
前記保持部の前記遠位端は、前記ハウジングに形成された前記少なくとも１つの係合部分に受けられるためのピンを有することを特徴とするクランプ工具。
【請求項１６】
請求項１５記載のクランプ工具において、
前記少なくとも１つの係合部分は、前記ピンと係合するための２つの略平坦部をもつ入り口部を有する略Ｃ字形状のスロットであり、前記ハウジングに対して前記ロッキングプライヤを第１の位置に位置決めすることによって、前記ロッキングプライヤが前記ハウジングに対して取り付けられて、前記動力工具の動作中に前記ロッキングプライヤが前記ハウジングから外れることを防ぐことを特徴とするクランプ工具。
【請求項１７】
請求項１１記載のクランプ工具において、
前記ロッキングプライヤは、動作中、前記動力工具に向かって動かされて、物品を前記動力工具に係合させることを特徴とするクランプ工具。
【請求項１８】
請求項１１記載のクランプ工具において、
前記動力工具は、回転鋸であることを特徴とするクランプ工具。
【請求項１９】
請求項１１記載のクランプ工具において、
前記係合部は、鋸状の部材であって、前記鋸状部材と前記係止部分の間で物品を係止位置に位置決めすることを特徴とするクランプ工具。
【発明の詳細な説明】
【技術分野】
【０００１】
本発明は、動力工具と共に使用するロッキングプライヤに関し、動力工具にハウジングが取り付けられ、ロッキングプライヤが動力工具に対して、選択的に、解除可能、及び回動可能に取り付けられて、ロッキングプライヤで保持される物品が前記動力工具と係合可能となるロッキングプライヤに関する。
【背景技術】
【０００２】
従来、個人が動力工具を使用する場合は、動力工具を駆動させ、その操作を制御するために一方の手を使うと同時に、物品を保持して動力工具と係合させるために他方の手を使う必要があった。例えば、パイプ、山形鋼、ケーブル、ワイヤのような物品を切断したい場合、切断工具を一方の手に保持し、他方の手で物品を切断工具と係合させることが必要であった。このため、物品の大きさ、長さ、向きによって、物品を正確に切断することは難しかった。
【発明の開示】
【発明が解決しようとする課題】
【０００３】
この課題を解決する一つの方法として、物品やワークをバイス(万力)で固定する方法がある。これによって、両手で切断工具を操作できる。しかしながら、現場で作業する際、バイスを手元に用意して物品を固定することは常に可能とは限らない。
【課題を解決するための手段】
【０００４】
本発明は、動力工具に対して回動自在に取り付けられるロッキングプライヤで物品を保持できるようにすることによって、動力工具の操作に関する課題を解決する。
【０００５】
本発明は、両手を使って動力工具の操作制御及びロッキングプライヤの操作制御をすることを可能にする。
【０００６】
本発明は、現場に派遣されて作業する際、物品に対して正確な作業を行って、直角切断することを可能にする。
【０００７】
本発明のこれら及びその他の目的は、ハウジングが取り付けられた動力工具と共に使用するロッキングプライヤを設けることによって達成される。前記ハウジングは少なくとも１つの係合部分を有する。近位端及び遠位端をもつ保持部を有するロッキングプライヤが設けられる。前記ロッキングプライヤを前記ハウジングに対して選択的に、解除可能、及び回動可能に保持するように、前記近位端は、前記少なくとも１つの係合部分に取り付けられる。前記プライヤの係合部は、前記保持部に対して取り付けられ、前記プライヤの係合部と前記保持部の遠位端の間に物品を位置決めすることができるように前記保持部の遠位端に対して前記プライヤの係合部が選択的に係止される。物品が前記保持部の遠位端と前記ロッキングプライヤの前記係合部に対して係止される際、前記動力工具を物品に係合させることができるように、前記保持部の近位端は、前記ハウジングに対して回動させることができる。この実施形態では、ロッキングプライヤと動力工具が互いに離間して、動力工具が物品を切断するようになっている。
【０００８】
別の実施形態では、前記ハウジングは、動力工具に取り付けられる。前記ハウジングは少なくとも１つの係合部分を有する。近位端及び遠位端をもつ保持部を有するロッキングプライヤが設けられる。この遠位端は、前記ロッキングプライヤを前記ハウジングに対して選択的に、解除可能及び回動可能に保持するように、少なくとも１つの係合部分に取り付けられる。前記プライヤの係合部は係止部に対して取り付けられ、前記プライヤの係合部と前記係止部との間に物品を位置決めすることができるように前記係止部に対して前記プライヤの係合部が選択的に係止される。物品が前記係止部と前記プライヤの係合部に対して係止される際、前記動力工具を物品に係合させることができるように、前記保持部の遠位端は、前記ハウジングに対して回動させることができる。この実施形態では、ロッキングプライヤと動力工具が互いに接近して、動力工具が物品を切断するようになっている。
【０００９】
本発明のさらなる応用範囲は以下の詳細な説明から明らかになるであろう。しかしながら、詳細な説明及び具体例は、本発明の好適な実施形態を示すが、もっぱら例示のためのものであって、本発明の精神及び範囲内での変更および変形は本詳細な説明により当業者にとって明らかとなるであろう。
【発明を実施するための最良の形態】
【００１０】
動力工具アタッチメント１０を有する動力工具１２と共に使用するロッキングプライヤ２０を図１〜図１６に示す。ハウジング１４は動力工具１２に取り付けられる。前記ハウジング１４は、少なくとも１つの係合部分１６を有し、この係合部分１６は２つの平面を持つピンの構成をとってもよい。近位端２４及び遠位端２６をもつ保持部２２を有するロッキングプライヤ２０が設けられる。近位端２４は、少なくとも１つの係合部分１６に取り付けられて、ロッキングプライヤ２０をハウジング１４に対して可動自在に保持する。
【００１１】
ロッキングプライヤ２０の係合部３２は、保持部２２に対して取り付けられ、又、保持部２２の遠位端２６に対して係合部３２は選択的に係止され、それらの間に物品４０Ａ〜４０Ｄを位置決めする。物品４０Ａ〜４０Ｄが保持部２２の遠位端２６とロッキングプライヤ２０の係合部３２に対して係止される際、動力工具１２が物品４０Ａ〜４０Ｄに係合するように、保持部２２の近位端２４はハウジング１４に対して選択的に回動可能になっている。保持部２２の近位端２４は、係合部分１６に対して解除可能に位置決めされており、近位端２４が係合部分１６にはまって、通常使用中は近位端２４が係合部分１５６から外れないようになっている。近位端２４は、２つの略平坦部を有する入り口部をもつＣ字形状のスロットを含んでもよい。近位端２４は、ハウジング１４の係合部分１６と第１の位置で係合することによって、ロッキングプライヤ２０はハウジング１４に対して取り付けられ、動力工具１２の動作中にハウジング１４から外れないようになっている。
【００１２】
図９〜図１２に示すように、ロッキングプライヤ２０は、開口部２８Ａを含む作動ハンドル２８を有する。該開口部２８Ａは、保持部２２の開口部２５と同軸上で回動自在に接続される。グリップハンドル２９は係合部３２を有するように構成される。係合部３２は、係合部３２と保持部２２の遠位端２６との間で受容される物品４０Ａ〜４０Ｄを収容できるような任意の形状でよい。グリップハンドル２９には開口部２９Ａが形成されている。保持部２２は第２開口部２７を有し、該第２開口部２７はグリップハンドル２９の開口部２９Ａに同軸上に回動自在に接続される。
【００１３】
保持部２２の近位端２４は、ハウジング１４のスロット又は係合部分１６に入るように設計されたＣ字形状の開口を有する。保持部２２は、ロッキングプライヤ２０をハウジング１４に対して選択的に回動できるような設計になっており、それにより物品４０Ａ〜４０Ｄを動力工具１２に係合させる。それゆえ、動力工具アタッチメント１０によって、ある特定の角度での正確な切断や直角切断が可能となる。係合部分１６と保持部２２の近位端２４との位置を合わせて、近位端２４が係合部分１６に入るようになっている。またハウジング１４からロッキングプライヤ２０をはずしたい場合は、近位端２４の２つの平坦面と係合部分１６のスロットとの位置を合わせることで取り外し可能となる。
【００１４】
係合部分１６の２つの平坦面と近位端２４との位置を合わせることで、係合部分１６が保持部２２の近位端２４に対して入れられるように、係合部分１６は設計される。近位端２４と係合部分１６の平坦面との位置を合わせれば、ロッキングプライヤ２０をハウジング１４に接続することができる。また、近位端２４と係合部分１６の平坦面との位置が合わなければ、ロッキングプライヤ２０はハウジング１４からはずれることなく、回動させることができる。別の実施形態においては、２つの平坦部をもつピンを近位端２４に位置決めし、ハウジング１４に形成された開口部に入れられるようにしてもよい。これによって、ロッキングプライヤ２０はハウジング１４に対して選択的に回動可能となって、物品を切断することができる。
【００１５】
操作としては、まず、ワーク４０Ａ〜４０Ｄを係合部３２に対して位置決めし、ロッキングプライヤ２０に対してワーク４０Ａ〜４０Ｄがロックされる位置に保持部の遠位端２６を動かす。次に、保持部の近位端２４をハウジング１４の係合部分１６に対して位置合わせして、近位端２４を係合部分１６内に入れる。そして、ロッキングプライヤ２０をハウジング１４に対して回動させると、保持部２２の近位端２４が選択的に回動できるように近位端２４がハウジング１４に対して取り付けられる。この位置においては、ロッキングプライヤ２０はハウジング１４に対して選択的に回動でき、外れることはない。前記２つの平坦部によって、近位端２４は係合部分１６に対して取り付けられるが、近位端２４をハウジング１４に対して回動させた後は近位端２４が外れることはない。ここで、動力工具１２としては回転鋸であってもよく、係合部３２にスロットを形成し、係合部３２に対して保持されたワーク４０Ａ〜４０Ｄを前記回転鋸で切断できるようにしてもよい。
【００１６】
第１の実施形態においては、ロッキングプライヤ２０を動力工具１２から離間するように動かして、ワーク４０Ａ〜４０Ｄを動力工具１２の刃に係合させ、ワーク４０Ａ〜４０Ｄを切断する。ロッキングプライヤ２０は、係合部分１６を中心に回動し、ワーク４０Ａ〜４０Ｄを動力工具１２の刃に対して正確に位置決めするようになっている。
【００１７】
図１７〜図２０は、動力工具アタッチメント２１０を有する動力工具２１２と共に使用するロッキングプライヤ２００を示す。ハウジング２１４は動力工具２１２に取り付けられる。ハウジング２１４は少なくとも１つの係合部分２１６を有する。係合部分２１６は、一方の側に細長いスロットが形成された略円筒状の部材の形態をとってよい。係合部分２１６はボルト及びナット２１８Ａ、２１８Ｂでハウジング２１４に対して取り付けられる。
【００１８】
ロッキングプライヤ２００には遠位端２２４及び近位端２２６を有する保持部２２２が設けられる。ロッキングプライヤ２００をハウジング２１４に対して可動自在に保持するように、遠位端２２４が少なくとも１つの係合部分２１６に対して取り付けられる。
【００１９】
ロッキングプライヤ２００の係合部２３２は、係止部２５０に対して取り付けられ、又、保持部２２２に対して係合部２３２が選択的に係止され、それらの間に物品４０Ａ〜４０Ｄを位置決めする。物品４０Ａ〜４０Ｄが係止部２５０とロッキングプライヤ２００の係合部２３２に対して係止される際、保持部２２２の遠位端２２４は、ハウジング２１４に対して選択的に回動可能となって、動力工具２１２を物品４０Ａ〜４０Ｄと係合させることができる。保持部２２２の遠位端２２４は、係合部分２１６に対して解除可能に位置決めされ、遠位端２２４が係合部分２１６に受容され、通常使用中、遠位端２２４が係合部分２１６から外れないようになっている。
【００２０】
図１７に示すように、ロッキングプライヤ２００は、コネクタ２５２をもつ作動ハンドル２２８を有し、保持部２２２に対して係止部２５０を同軸上に回動自在に接続する。グリップハンドル２２９は係合部２３２を含むように構成される。係合部２３２と保持部２２２の係止部２５０との間で受容されるように意図された任意の形状の物品４０Ａ〜４０Ｄを収容するために、係合部２３２は鋸形状部を有してもよい。グリップハンドル２２９は、係止部２５０をグリップハンドル２２９に対してオーバーセンターの関係（ｏｖｅｒ−ｃｅｎｔｅｒ  ｒｅｌａｔｉｏｎｓｈｉｐ）で同軸上に回動自在に接続するためのコネクタ２６０を有する。これによって、ロッキングプライヤ２００を動作させる場合、係止部２５０を保持部２２２に対して係止させることができる。
【００２１】
保持部２２２の遠位端２２４は、接続ピン２２４Ｄを受容するための開口部が形成された突出部分２２４Ｂを有する。接続ピン２２４Ｄは、ボルト２２４Ａ及び２２４Ｂによって遠位端２２４に対して固定される。前記ピン２２４Ｄは、２つの平坦部を有し、これによってピン２２４はＣ字形円筒状の係合部分２１６に入れることができる。保持部２２２は、ロッキングプライヤ２００がハウジング２１４に対して選択的に回動できるような設計となっており、それにより物品４０Ａ〜４０Ｄを動力工具２１２に係合させる。それゆえ、動力工具アタッチメント２１０によって、ある特定の角度での正確な切断や直角切断が可能となる。また、係合部分２１６と保持部２２２の遠位端２２４との位置を合わせて、ピン２２４Ｄが係合部分２１６に入るようになっている。
【００２２】
略円筒状の係合部分２１６は、係合部分２１６の長尺スロットと２つの平面を有するピン２２４Ｄとの位置を合わせることによって、係合部分２１６が保持部２２２のピン２２４Ｄに対して入れられるように設計される。ピン２２４Ｄの平坦面の位置を合わせれば、ロッキングプライヤ２２０をハウジング２１４に接続することができる。また、ピン２２４Ｄの平坦面と略円筒状の係合部分２１６の長尺スロットとの位置が合わなければ、ロッキングプライヤ２２０はハウジング２１４からはずれることなく、回動させることができる。
【００２３】
操作としては、まず、ワーク４０Ａ〜４０Ｄを係合部２３２に対して位置決めし、ロッキングプライヤ２００に対してワーク４０Ａ〜４０Ｄが係止される位置に係止部２５０を移動させる。次に、保持部の遠位端２２４をハウジング２１４の係合部分２１６に対して位置合わせして、遠位端２２４のピン２２４Ｄを係合部分２１６に入れる。そして、ロッキングプライヤ２２０をハウジング２１４に対して回動させると、保持部２２２の遠位端２２４が選択的に回動できるように遠位端２２４がハウジング２１４に対して取り付けられる。この位置においては、ロッキングプライヤ２００はハウジング２１４に対して選択的に回動でき、外れることはない。前記２つの平坦部によって、ピン２２４Ｄは係合部分２１６に対して取り付けられるが、遠位端２２４をハウジング２１４に対して回動させた後は、遠位端２２４が外れることはない。
【００２４】
第２の実施形態では、ロッキングプライヤ２００を動力工具２１２に向かって移動し、ワーク４０Ａ〜４０Ｄを動力工具２１２のブレードに係合させ、ワーク４０Ａ〜４０Ｄを切断する。ロッキングプライヤ２００は、係合部分２１６を中心に回動し、ワーク４０Ａ〜４０Ｄを動力工具２１２のブレードに対して正確に位置決めする。またハウジング２１４からロッキングプライヤ２００を外したい場合は、ピン２２４Ｄの２つの平坦面と略円筒状の係合部分２１６のスロットとの位置を合わせることで取り外し可能となる。図面に示された実施形態では、動力工具１２、２１２は、回転鋸であり、ロッキングプライヤ２０、２００によって、個人が回転鋸を使って、物品４０Ａ〜４０Ｄを正確に切断できるようになる。
【００２５】
本発明は、動力工具に対して回動できるように取り付けられたロッキングプライヤで物品を保持しながら、動力工具を容易に操作することを可能にする。このため、個人は、一方の手で動力工具を操作し、他方の手でロッキングプライヤを操作することが可能になる。さらに、現場で作業する場合、バイスを使わずに物品に対して正確な作業を行うことができる。
【００２６】
以上、説明したように、同等のものが種々の方法で変更可能なことは明らかである。そのような変更形態は、本発明の精神と範囲から逸脱しているとはみなされず、また、当業者にとって明らかであろう全ての改変形態は、以下の請求項の範囲内に含まれる。
【００２７】
本出願は、米国特許法１２０条に基づく優先権を２００３年７月１０日に出願された米国仮特許出願第６０／４８５７４９号に対して主張する。その出願内容は、茲に参照することにより本願の開示に含まれる。
【００２８】
本発明は、以下の詳細な説明及び添付図面によって、より十分に理解されるであろう。ただし、詳細な説明及び図面はもっぱら例示のためのものであり、それゆえ、本発明を限定するものではない。
【図面の簡単な説明】
【００２９】
【図１】物品を動力工具に正確に係合させるようにロッキングプライヤをハウジングに対して回動可能に取り付けられた状態で動力工具に取り付けられたハウジングを示す斜視図である。
【図２】ハウジングに対して取り外されたロッキングプライヤ及び保持部の遠位端とロッキングプライヤの係合部に対して係止された物品を示す図である。
【図３】動力工具に係合させる物品がロッキングプライヤで位置決めされた状態において、動力工具に取り付けられたハウジングを示す斜視図である。
【図４】動力工具に係合させる物品がロッキングプライヤで位置決めされた状態において、動力工具に取り付けられたハウジングを示す平面図である。
【図５】動力工具に係合させる物品がロッキングプライヤで位置決めされた状態において、動力工具に取り付けられたハウジングを示す側面図である。
【図６】動力工具に係合させる物品がロッキングプライヤで位置決めされた状態において、動力工具に取り付けられたハウジングを示す側面図である。
【図７】動力工具に係合させる物品がロッキングプライヤで位置決めされた状態で、ロッキングプライヤがハウジングから取り外された場合における動力工具に取り付けられたハウジングを示す上面図である。
【図８】動力工具に係合させる物品がロッキングプライヤで位置決めされた状態において、動力工具に取り付けられたハウジングを示す側面図である。
【図９】動力工具に取り付けられたハウジング及びハウジングの付近に位置決めされたロッキングプライヤと動力工具の付近に図示された、動力工具に係合させる複数の物品を示す側面図である。
【図１０】ロッキングプライヤを構成する種々の部品を示す分解図である。
【図１１】動力工具に取り付けられたハウジングの上面図及びハウジングに対して取り外された状態のロッキングプライヤの側面図である。
【図１２】動力工具から取り外されたハウジング及びハウジングに取り付けられた状態のロッキングプライヤを示す側面図である。
【図１３】動力工具から取り外されたハウジング及びハウジングに対して取り外された状態のロッキングプライヤを示す側面図である。
【図１４】ロッキングプライヤがハウジングと係合し、動力工具に係合させる物品が位置決めされた状態における動力工具に取り付けられたハウジングを示す上面図である。
【図１５】ロッキングプライヤがハウジングと係合し、ロッキングプライヤを動力工具から離れるように動かすことによって動力工具に係合させる物品がロッキングプライヤに位置決めされる状態における動力工具に取り付けられたハウジングを示す斜視図である。
【図１６】ロッキングプライヤがハウジングと係合し、ロッキングプライヤを動力工具から離れるように動かすことによって動力工具に係合させる物品がロッキングプライヤに位置決めされる状態における動力工具に取り付けられたハウジングを示す上面図である。
【図１７】第２の実施形態において、ロッキングプライヤがハウジングと係合し、ロッキングプライヤを動力工具に向かって動かすことによって動力工具に係合させる物品がロッキングプライヤに位置決めされる状態における動力工具に取り付けられたハウジングを示す斜視図である。
【図１８】第２の実施形態に係るハウジングの係合部分を示す正面図である。
【図１９】第２の実施形態に係るハウジングの係合部分に対して保持部の遠位端が位置決めされた状態を示す側面図である。
【図２０】保持部の近位端によって保持された物品が、ロッキングプライヤを動力工具に向かって動かすことによって動力工具に係合させられている状態において、第２の実施形態に係るハウジングの係合部に対して保持部の遠位端が位置決めされることを示す側面図である。
【符号の説明】
【００３０】
１０、２１０…動力工具アタッチメント    １２、２１２…動力工具
１４、２１４…ハウジング                １６、２１６…係合部分
２０、２００…ロッキングプライヤ        ２２、２２２…保持部
２４…近位端                            ２５、２８Ａ、２９Ａ…開口部
２６、２２４…遠位端                    ２７…第２開口部
２８、２２８…作動ハンドル              ２９、２２９…グリップハンドル
３２…係合部                            ４０Ａ〜４０Ｄ…物品
２１８Ａ、２１８Ｂ…ボルト及びナット    ２２４Ａ、２２４Ｃ…ボルト
２２４Ｂ…突出部分                      ２２４Ｄ…接続ピン
２５０…係止部                          ２５２…コネクタ
【図１】
2007530293.tif 000003
【図２】
2007530293.tif 000004
【図３】
2007530293.tif 000005
【図４】
2007530293.tif 000006
【図５】
2007530293.tif 000007
【図６】
2007530293.tif 000008
【図７】
2007530293.tif 000009
【図８】
2007530293.tif 000010
【図９】
2007530293.tif 000011
【図１０】
2007530293.tif 000012
【図１１】
2007530293.tif 000013
【図１２】
2007530293.tif 000014
【図１３】
2007530293.tif 000015
【図１４】
2007530293.tif 000016
【図１５】
2007530293.tif 000017
【図１６】
2007530293.tif 000018
【図１７】
2007530293.tif 000019
【図１８】
2007530293.tif 000020
【図１９】
2007530293.tif 000021
【図２０】
2007530293.tif 000022